(57)【特許請求の範囲】
【請求項１】
デッキボードの適所に滑り止め材としてグロメットを取り付けてなるパレットにおいて、デッキボードの内面側のフォーク挿入孔に、フォーク差し込み方向及びフォーク差し込み方向と直交する方向にそれぞれ補強リブを設け、前記グロメットを取り付ける取付孔をフォーク差し込み方向の補強リブの線上に設けてフォーク差込方向の補強リブが取付孔の中心を通るように形成すると共に、フォーク差し込み方向と直交する方向の補強リブのうち、取付孔の両側に位置する補強リブと取付孔を形成する周壁とは一部共通するように形成し、かつ取付孔の両側に位置する補強リブおよび取付孔を形成する周壁の上面に天板を設け、前記取付孔に接して設けた補強リブの間隔をフォーク差し込み方向と直交する方向の他のいずれの補強リブの間隔よりも狭くしたことを特徴とする合成樹脂製パレット。
【請求項２】
フォーク差し込み方向と直交する方向の補強リブのうち、取付孔と接するように設けた補強リブの肉厚を他の補強リブの肉厚よりも厚く形成したことを特徴とする請求項１記載の合成樹脂製パレット。
【発明の詳細な説明】
【０００１】
【発明の属する技術分野】
この発明は、滑り止め材としてグロメットを取り付けてなる合成樹脂製パレットに係り、特にフォークリフトのフォークの当たりによるグロメットの損傷を防止する合成樹脂製パレットに関する。
【０００２】
【従来の技術】
荷物を保管、運搬する際に使用するパレットとして、成形性、耐腐食性に優れており、軽量化を図ることができる等の利点から、金属製パレットや木製パレットと比較して合成樹脂製パレットが広く利用されている。しかしながら、合成樹脂製パレットは、その合成樹脂本来の性質から摩擦係数が小さく、滑りやすいという欠点がある。
【０００３】
そこで、従来、滑り防止のために、パレットの上面に滑り止め用のテープを貼着したり、パレットのデッキボードの適所に透孔を設け、該透孔にゴム製のグロメットを挿入する等の方法が取られている。図３および図４はグロメットを取り付けたパレットのグロメット取付部分の説明図および断面図である。図に示すように、グロメット１は、デッキボードの内面側に縦横に設けた補強リブ２、３の交差部に設けたグロメット取付孔４に嵌合されている。
【０００４】
即ち、グロメット１は、円柱状胴部１ａの両端部にフランジ状係止部１ｂ、１ｃを一体に形成してなり、前記フランジ状係止部１ｂの上面がデッキボード上面から僅かに突出し、フランジ状径止部１ｃの下面が補強リブ２、３の下面よりも僅かに突出している。グロメット１は、デッキボードの上面においては積載した荷物の滑りを防止するとともに、フォーク挿入孔に面するデッキボードの下面においてはフォークリフトによる運搬作業中のフォークとの滑りを防止する。
【０００５】
【発明が解決しようとする課題】
パレットのフォーク挿入孔からフォークリフトのフォークを差し込むときに、フォークの先端部は上向きに差し込まれるから、グロメット取付孔４を形成する周壁の外周面に衝突してグロメット取付孔４を破損したり、変形させるおそれがあった。これは、フォーク差し込み方向と直交する補強リブとの間隔が大きいために、フォークの先端部が隣接する補強リブの間に入り易いことから生じるものである。
【０００６】
また、荷物が載置されるとグロメット１は、荷物による荷重によって押し下げられ、フォーク挿入孔に面する側のフランジ状係止部１ｃの端面がさらに下方に突出することになる。そして、フォークの先端部は、取付孔４を乗り越えると直ぐにフランジ状係止部１ｃに当たり、破損させたり甚だしい場合にはフランジ状係止部１ｃが捲られてグロメットそのものが引き抜かれることがある。
【０００７】
【発明の目的】
この発明はかかる現況に鑑みてなされたもので、その目的は、フォークの先端部が衝突しない構造のグロメット取付孔とし、また、フォークによるグロメットの損傷を防止し得る構造とした合成樹脂製パレットを提供するものである。
【０００８】
【課題を解決するための手段】
この発明は上記目的を達成するために次のような構成とした。即ち、この発明に係るパレットは、デッキボードの適所に滑り止め材としてグロメットを取り付けてなるパレットにおいて、デッキボードの内面側のフォーク挿入孔に、フォーク差し込み方向及びフォーク差し込み方向と直交する方向にそれぞれ補強リブを設け、前記グロメットを取り付ける取付孔をフォーク差し込み方向の補強リブの線上に設けてフォーク差込方向の補強リブが取付孔の中心を通るように形成すると共に、フォーク差し込み方向と直交する方向の補強リブのうち、取付孔の両側に位置する補強リブと取付孔を形成する周壁とは一部共通するように形成し、かつ取付孔の両側に位置する補強リブおよび取付孔を形成する周壁の上面に天板を設け、前記取付孔に接して設けた補強リブの間隔をフォーク差し込み方向と直交する方向の他の補強リブのいずれの間隔よりも狭くしたことを特徴とする。フォーク差し込み方向と直交する方向の補強リブのうち、取付孔と接するように設けた補強リブの肉厚を他のフォーク差し込み方向と直交する方向のいずれの補強リブの肉厚よりも厚く形成してもよい。
【０００９】
【発明の実施の形態】
以下に、図示する実施形態について詳細に説明する。図示する合成樹脂製パレット１０は、上部デッキボードと下部デッキボードとを両端部の支柱部１１とその中間に設けた中間部の支柱部１２で連結してなり、上下デッキボードと端部支柱部１１及び中間支柱部１２で囲まれた空隙をフォーク挿入孔１３とした二方差しパレットである。
【００１０】
上記パレット１０は、予め各支柱部の略中央部で水平方向に分割して上部デッキボードを有する上部品と、下部デッキボードを有する下部品とに分割成形し、その後、上部品と下部品とを支柱部において突き合わせ溶着することにより一体に成形することができる。
【００１１】
さらに、上部デッキボード１５について説明すると、上部デッキボード１５は、天板１５ａと前記天板１５ａの下面に縦横に設けた補強リブ１５ｂ、１５ｃとからなる。フォーク挿入孔に面する前記補強リブ１５ｂ、１５ｃの高さは、分割された支柱部の高さよりも低く、補強リブ１５ｂはフォーク差し込み方向と同一方向に設けられ、補強リブ１５ｃは、フォーク差し込み方向と直交する方向に設けられている。
【００１２】
そして、補強リブ１５ｂの適宜の位置にグロメット取付孔１６が設けられている。前記取付孔１６は、補強リブ１５ｂの線上に設けられており、取付孔１６の両側に位置する補強リブ１５ｃは、他の部分よりも間隔を狭めて取付孔１６の両側を挟持するように配設されている。
【００１３】
さらに、詳述すると、図２に示すように、補強リブ１５ｂは、取付孔１６のほぼ中心を通っており、補強リブ１５ｃは、取付孔１６を形成する周壁と結合する部分では取付孔１６を形成する周壁と共通にしており、補強リブ１５ｃの側面と取付孔１６を形成する周壁の外周面とがほぼ一致するように形成し、かつ取付孔の両側に位置する補強リブ１５ｃおよび取付孔１６を形成する周壁の上面に天板を設けてなる。
【００１４】
上記のように、取付孔１６を形成する周壁と補強リブ１５ｃとを一部共通するように形成することによって、フォークが取付孔１６を形成する周壁に直接衝突するのを防止することができる。また、一部を共通させることによって、その分材料を節減し、パレット全体の軽量化を図ることができる。
【００１５】
前記取付孔１６を形成する周壁と結合する補強リブ１５ｃは、取付孔１６を形成する周壁とは結合しない他のフォーク差し込み方向と直交する方向のいずれの補強リブ１５ｃよりも肉厚を厚く形成することが好ましい。このように、取付孔１６を形成する周壁と結合する補強リブ１５ｃの肉厚を厚く形成することによって、補強リブ１５ｃ相互の間隔が狭められてフォーク先端部が入りにくくなると共に、取付孔１６をフォークの衝突から保護することになる。
【００１６】
【発明の効果】
上述したところから明らかなように、この発明に係る合成樹脂製パレットは、グロメット取付孔に対してフォークの先端部が当たり難くすると共に、フォークの衝突による損傷、変形を防止する。また、取付孔の周壁と補強リブとを一部共通させることによって、材料の節減を図りパレット全体を軽量化することができる。
【図面の簡単な説明】
【図１】この発明に係るパレットの半分を示し、右半分は平面図、左半分は上部デッキボードの内側面を示す断面図である。
【図２】この発明のグロメットの取付孔と補強リブとの関係を示す要部底面図である。
【図３】従来のグロメット取付孔と補強リブとの関係を示す要部底面図である。
【図４】同じくグロメットを取り付けた状態の断面図である。
【符号の説明】
１：グロメット
２、３：補強リブ
４：取付孔
１０：合成樹脂製パレット
１１：両端部の支柱部
１２：中間部の支柱部
１３：フォーク挿入孔
１５：上部デッキボード
１５ａ：天板
１５ｂ、１５ｃ：補強リブ
１６：取付孔
【図１】
0003641416.tif 000002
【図２】
0003641416.tif 000003
【図３】
0003641416.tif 000004
【図４】
0003641416.tif 000005